(57)【要約】      （修正有）【課題】効率的に通信を行う端末装置、基地局装置、通信方法および集積回路を提供する。【解決手段】端末装置は、共有チャネルを受信する受信部と、前記共有チャネルに含まれるトランスポートブロックが成功裏に（successfully）復号されたか否かに基づいて、確認応答を生成する復号化部と、前記確認応答を含む上りリンク制御情報を送信する送信部と、を備える。上りリンク制御情報が受信品質情報を含むか否かは、少なくとも確認応答に基づき与えられ、受信品質情報は、受信部によって受信された信号に基づいて与えられる。【選択図】図２
2019208083.tif 000002
【特許請求の範囲】
【請求項１】
共有チャネルを受信する受信部と、
前記共有チャネルに含まれるトランスポートブロックが成功裏に（successfully）復号されたか否かに基づいて、確認応答を生成する復号化部と、
前記確認応答を含む上りリンク制御情報を送信する送信部と、を備え、
前記上りリンク制御情報が受信品質情報を含むか否かは、少なくとも前記確認応答に基づき与えられ、
前記受信品質情報は、前記受信部によって受信された信号に基づいて与えられる
端末装置。
【請求項２】
前記確認応答がACKを示す場合に、前記受信品質情報は前記上りリンク制御情報に含ま
れず、
前記確認応答がNACKを示す場合に、前記受信品質情報は前記上りリンク制御情報に含まれる
請求項１に記載の端末装置。
【請求項３】
前記ACKを示す前記上りリンク制御情報が割り当てられる符号点の数は、前記NACKを示
す前記上りリンク制御情報が割り当てられる符号点の数よりも少ない
請求項２に記載の端末装置。
【請求項４】
前記共有チャネルは第１の共有チャネルであり、
前記確認応答は第１の確認応答であり、
前記受信部は、前記第１の共有チャネルとは異なる第２の共有チャネルを受信し、
前記復号化部は、前記第２の共有チャネルに含まれる前記トランスポートブロックが成功裏に（successfully）復号されたか否かに基づいて、第２の確認応答を生成し、
前記受信品質情報は、少なくとも前記第２の共有チャネル、および／または、前記第２の共有チャネルに関連する参照信号に基づき生成される
請求項１から請求項３のいずれかに記載の端末装置。
【請求項５】
トランスポートブロックを含む共有チャネルを端末装置に送信する送信部と、
前記トランスポートブロックに対応する確認応答を含む上りリンク制御情報を前記端末装置から受信する受信部と、を備え、
前記上りリンク制御情報が受信品質情報を含むか否かは、前記確認応答に基づき与えられ、
前記受信品質情報は、前記端末装置によって受信された信号に基づいて与えられる
基地局装置。
【請求項６】
前記確認応答がACKと検出された場合に、前記受信品質情報は前記上りリンク制御情報
に含まれず、
前記確認応答がNACKを示す場合に、前記受信品質情報は前記上りリンク制御情報に含まれる
請求項５に記載の基地局装置。
【請求項７】
前記ACKを示す前記上りリンク制御情報が割り当てられる符号点の数は、前記NACKを示
す前記上りリンク制御情報が割り当てられる符号点の数よりも少ない
請求項６に記載の基地局装置。
【請求項８】
前記共有チャネルは第１の共有チャネルであり、
前記確認応答は第１の確認応答であり、
前記送信部は、前記第１の共有チャネルとは異なる第２の共有チャネルを送信し、
前記受信品質情報は、少なくとも前記端末装置によって受信された前記第２の共有チャネル、および／または、前記第２の共有チャネルに関連する参照信号に基づいて与えられる
請求項５から請求項７のいずれかに記載の基地局装置。
【請求項９】
端末装置に用いられる通信方法であって、
共有チャネルを受信するステップと、
前記共有チャネルに含まれるトランスポートブロックが成功裏に（successfully）復号されたか否かに基づいて、確認応答を生成するステップと、
前記確認応答を含む上りリンク制御情報を送信するステップと、を備え、
前記上りリンク制御情報が受信品質情報を含むか否かは、少なくとも前記確認応答に基づき与えられ、
前記受信品質情報は、受信された信号に基づいて与えられる
通信方法。
【請求項１０】
基地局装置に用いられる通信方法であって、
トランスポートブロックを含む共有チャネルを端末装置に送信するステップと、
前記トランスポートブロックに対応する確認応答を含む上りリンク制御情報を前記端末装置から受信するステップと、を備え、
前記上りリンク制御情報が受信品質情報を含むか否かは、前記確認応答に基づき与えられ、
前記受信品質情報は、前記端末装置によって受信された信号に基づいて与えられる
通信方法。
【請求項１１】
端末装置に実装される集積回路であって、
共有チャネルを受信する受信回路と、
前記共有チャネルに含まれるトランスポートブロックが成功裏に（successfully）復号されたか否かに基づいて、確認応答を生成する復号化回路と、
前記確認応答を含む上りリンク制御情報を送信する送信回路と、を備え、
前記上りリンク制御情報が受信品質情報を含むか否かは、少なくとも前記確認応答に基づき与えられ、
前記受信品質情報は、前記受信回路によって受信された信号に基づいて与えられる
集積回路。
【請求項１２】
基地局装置に実装される集積回路であって、
トランスポートブロックを含む共有チャネルを端末装置に送信する送信回路と、
前記トランスポートブロックに対応する確認応答を含む上りリンク制御情報を前記端末装置から受信する受信回路と、を備え、
前記上りリンク制御情報が受信品質情報を含むか否かは、前記確認応答に基づき与えられ、
前記受信品質情報は、前記端末装置によって受信された信号に基づいて与えられる
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥにおいて、基地局装置はｅＮｏｄｅＢ（evolved NodeB）、端末装置はＵＥ（User Equipment）とも呼称される。ＬＴＥは、
基地局装置がカバーするエリアをセル状に複数配置するセルラー通信システムである。単一の基地局装置は複数のセルを管理してもよい。
【０００３】
３ＧＰＰでは、国際電気通信連合（ITU: International Telecommunication Union）が策定する次世代移動通信システムの規格であるＩＭＴ（International Mobile Telecommunication）―２０２０に提案するため、次世代規格（NR: New Radio）の検討が行われて
いる（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra Reliable and Low Latency Communication）の３つのシナリオを想定した要求を満た
すことが求められている。
【先行技術文献】
【非特許文献】
【０００４】
【非特許文献１】"New SID proposal: Study on New Radio Access Technology", RP-160671, NTT docomo, 3GPP TSG RAN Meeting#71, Goteborg, Sweden, 7th - 10th March, 2016.
【発明の概要】
【発明が解決しようとする課題】
【０００５】
本発明は、効率的に受信する基地局装置、該基地局装置に用いられる通信方法、該基地局装置に実装される集積回路、効率的に送信する端末装置、該端末装置に用いられる通信方法、該端末装置に実装される集積回路を提供する。
【課題を解決するための手段】
【０００６】
（１）本発明の第１の態様は、端末装置であって、共有チャネルを受信する受信部と、前記共有チャネルに含まれるトランスポートブロックが成功裏に（successfully）復号されたか否かに基づいて、確認応答を生成する復号化部と、前記確認応答を含む上りリンク制御情報を送信する送信部と、を備え、前記上りリンク制御情報が受信品質情報を含むか否かは、少なくとも前記確認応答に基づき与えられ、前記受信品質情報は、前記受信部によって受信された信号に基づいて与えられる。
【０００７】
（２）本発明の第２の態様は、基地局装置であって、トランスポートブロックを含む共有チャネルを端末装置に送信する送信部と、前記トランスポートブロックに対応する確認応答を含む上りリンク制御情報を前記端末装置から受信する受信部と、を備え、前記上りリンク制御情報が受信品質情報を含むか否かは、前記確認応答に基づき与えられ、前記受信品質情報は、前記端末装置によって受信された信号に基づいて与えられる。
【０００８】
（３）本発明の第３の態様は、端末装置に用いられる通信方法であって、共有チャネル
を受信するステップと、前記共有チャネルに含まれるトランスポートブロックが成功裏に（successfully）復号されたか否かに基づいて、確認応答を生成するステップと、前記確認応答を含む上りリンク制御情報を送信するステップと、を備え、前記上りリンク制御情報が受信品質情報を含むか否かは、少なくとも前記確認応答に基づき与えられ、前記受信品質情報は、受信された信号に基づいて与えられる。
【０００９】
（４）本発明の第４の態様は、基地局装置に用いられる通信方法であって、トランスポートブロックを含む共有チャネルを端末装置に送信するステップと、前記トランスポートブロックに対応する確認応答を含む上りリンク制御情報を前記端末装置から受信するステップと、を備え、前記上りリンク制御情報が受信品質情報を含むか否かは、前記確認応答に基づき与えられ、前記受信品質情報は、前記端末装置によって受信された信号に基づいて与えられる。
【００１０】
（５）本発明の第５の態様は、端末装置に実装される集積回路であって、共有チャネルを受信する受信回路と、前記共有チャネルに含まれるトランスポートブロックが成功裏に（successfully）復号されたか否かに基づいて、確認応答を生成する復号化回路と、前記確認応答を含む上りリンク制御情報を送信する送信回路と、を備え、前記上りリンク制御情報が受信品質情報を含むか否かは、少なくとも前記確認応答に基づき与えられ、前記受信品質情報は、前記受信回路によって受信された信号に基づいて与えられる。
【００１１】
（６）本発明の第６の態様は、基地局装置に実装される集積回路であって、トランスポートブロックを含む共有チャネルを端末装置に送信する送信回路と、前記トランスポートブロックに対応する確認応答を含む上りリンク制御情報を前記端末装置から受信する受信回路と、を備え、前記上りリンク制御情報が受信品質情報を含むか否かは、前記確認応答に基づき与えられ、前記受信品質情報は、前記端末装置によって受信された信号に基づいて与えられる。
【発明の効果】
【００１２】
この発明によれば、基地局装置と端末装置は効率的に通信が行うことができる。
【図面の簡単な説明】
【００１３】
【図１】本実施形態における無線通信システムの概念を示す図である。
【図２】本実施形態における端末装置１の構成例を示す概略ブロック図である。
【図３】本実施形態における基地局装置３の構成例を示す概略ブロック図である。
【図４】本実施形態における符号点に割り当てられる受信確認応答の一例である。
【図５】本実施形態における符号点に割り当てられる受信品質情報の一例である。
【図６】本実施形態における符号点に割り当てられる上りリンク制御情報の一例である。
【図７】本実施形態における符号点に割り当てられる上りリンク制御情報の一例である。
【図８】本実施形態における上りリンク制御情報と変調の関係を示す図である。
【図９】本実施形態における端末装置１、および、基地局装置３の動作の手順の一例を示すシーケンスチャートである。
【図１０】本実施形態における端末装置１、および、基地局装置３の動作の手順の一例を示すシーケンスチャートである。
【図１１】本実施形態における端末装置１、および、基地局装置３の動作の手順の一例を示すシーケンスチャートである。
【発明を実施するための形態】
【００１４】
以下、本発明の各実施形態について説明する。
【００１５】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも称する。
【００１６】
以下では、本実施形態の一態様に係る無線パラメータ（または、Numerology）の説明を行う。なお、無線パラメータ、および、Numerologyは、複数の無線パラメータのセットを示す用語として用いられてもよいし、単一の無線パラメータを示す用語として用いられてもよい。無線パラメータ、および、Numerologyは、サブキャリア間隔（SCS: Sub-Carrier
Spacing）、シンボル長、サブフレーム長、スロット長、フレーム長等の少なくともいずれかであってもよい。
【００１７】
サブキャリア間隔は、参照サブキャリア間隔（Reference SCS, Reference Numerology
等）および無線通信に適用される実際のサブキャリア間隔（Actual SCS, Actual Numerology等）の２つが少なくとも与えられてもよい。Reference SCSは、無線パラメータの決定に用いられてもよい。Actual SCSは、無線パラメータの決定に用いられてもよい。（ａ）Reference SCSは第１の無線パラメータの決定に用いられてもよく、（ｂ）Actual SCSは
第２の無線パラメータの決定に用いられてもよく、且つ、（ｃ）Reference SCSとActual SCSの両方が第３の無線パラメータの決定に用いられてもよい。Reference SCSとActual SCSは、同じでもよいし、異なってもよい。Reference SCSは、（ａ）Reference SCSが対応するセルが属するバンド、（ｂ）Reference SCSが対応するセルのキャリア周波数、およ
び／または、（ｃ）Reference SCSが対応するセルにおいて受信される信号に、少なくと
も基づいて与えられてもよい。Actual SCSは、（ａ）Reference SCSが対応するセルにお
いて受信される信号、（ｂ）ＲＲＣ（Radio Resource Configuration）  ｓｉｇｎａｌｉｎｇに含まれる情報の情報、（ｃ）ＭＣＥ（MAC Control Element）に含まれる情報の情
報、および／または、（ｄ）物理層の情報（下りリンク制御情報）に、少なくとも基づいて与えられてもよい。
【００１８】
シンボル長は、伝送方式に応じて決められる物理リソースの最小単位として定義されてもよい。例えば、伝送方式がOFDM（Orthogonal Frequency Division Multiplexing）方式、または、OFDMA（Orthogonal Frequency Division Multiple Access）方式である場合、シンボル長はOFDMシンボルの長さであってもよい。ここで、「伝送方式がOFDMである場合」とは、OFDM伝送方式に対して、波形整形、PAPR低減、所定の周波数帯域外輻射低減等を目的として、あるいはその他の目的のために、フィルタリング、ウィンドウイング（窓関数による処理）、プレコーディング、および／または、位相回転等が適用されたOFDM伝送方式であってもよい。つまり、「伝送方式がOFDMである場合」は、SC-FDMA（Single-Carrier Frequency Division Multiple Access）方式、または、DFT-S-OFDM（Discrete Frequency Transform - Spread - OFDM）方式、F-OFDM（Filtered - OFDM）方式、UFMC（Universal Filtered Multi-Carrier）方式等であってもよい。また、「伝送方式がOFDMである
場合」は、シングルキャリアの伝送方式を含む。
【００１９】
サブフレームの設定は、Reference SCSに基づき与えられてもよい。例えば、サブフレ
ーム長は、Reference SCSに基づき与えられるシンボル長に基づき与えられてもよい。例
えば、サブフレーム長は、Reference SCSに基づき与えられるシンボル長と、所定のシン
ボル数に基づき与えられてもよい。例えば、サブフレーム長は、所定のシンボル数が１４であり、かつ、Reference SCSが15 kHzに設定される場合に1 msであってもよい。ここで
、サブフレームは、送信間隔（TI: Transmission Interval）を示す値であってもよい。
また、サブフレームは、上位層における物理リソースの管理に用いられる単位であってもよい。第１の無線パラメータは、サブフレーム長を含んでもよい。
【００２０】
スロットの設定は、Reference SCS、および、Actual SCSに基づき与えられてもよい。
例えば、スロットに含まれるOFDMシンボルの数は、Reference SCSおよびActual SCSに基
づき与えられてもよい。例えば、スロットに含まれるOFDMシンボルの数yは、サブフレー
ムに含まれるOFDMシンボルの数xと同じであってもよい。例えば、スロットに含まれるOFDMシンボルの数yは、サブフレームに含まれるOFDMシンボルの数xの半分であってもよい。
ここで、スロットは、送信間隔を示す用語であってもよい。また、スロットは上位層における物理リソースの管理に用いられる単位であってもよい。第３の無線パラメータは、スロット長を含んでもよい。
【００２１】
フレームは、サブフレーム、または、スロットと同一であってもよい。また、フレームは、所定のサブフレーム数に基づき与えられてもよい。また、フレームは、所定のスロット数に基づき与えられてもよい。
【００２２】
サブフレーム、スロット、または、フレームは、所定の送信間隔より短い送信間隔をサポートしてもよい。所定の送信間隔は、サブフレーム長、スロット長、またはフレーム長のいずれかであってもよい。また、所定の送信間隔より短い送信間隔は、mini-slot、ま
たは、sTTI （short Transmission Time Interval）と呼称されてもよい。
【００２３】
送信間隔は、時間リソースのスケジューリングにおいて、最小単位であってもよい。
【００２４】
以下、初期接続の方法例を説明する。
【００２５】
端末装置１は、基地局装置３と接続（初期接続、通信の事前処理、通信の準備、事前接続）を行う場合、基地局装置３より送信されるチャネルを検出する動作を行ってもよい。基地局装置３より送信されるチャネルは、端末装置１が基地局装置３の通信設定（帯域幅、セルＩＤ、サブキャリア間隔、共有チャネル設定、制御チャネル設定等）の少なくとも１つを知らない条件においても検出できることが好適である。例えば、基地局装置３より送信されるチャネルは、一定時間の周期において繰り返し送信される特徴を備えてもよい。端末装置１が基地局装置と接続するために検出されるチャネルは同期チャネル（または同期信号（SS: Synchronization Signal）等）とも呼称される。
【００２６】
同期チャネルは、該同期チャネルが送信される無線リソースのチャネル状態情報（CSI:
Channel State Information）を端末装置１に提供する機能を備えてもよい。つまり、同期チャネルは、基地局装置３と接続するために用いられる情報（例えば、システム情報）等を復調するための参照信号であってもよい。例えば、システム情報は、ＭＩＢ（Master
Information Block）、ＳＩＢ（System Information Block）であってもよい。また、同期チャネルは、システム情報を復調するために用いられる情報（例えば、物理セルＩＤ（Physical Cell ID）、仮想セルＩＤ（Virtual Cell ID）、システム情報をスクランブル
するＩＤ）であってもよい。つまり、端末装置１は、同期チャネルの検出により、チャネル状態情報、システム情報を復調するために用いられる情報の少なくとも１つを取得してもよい。
【００２７】
同期チャネルは、ＰＳＳ（Primary Synchronization Signal）、および／または、ＳＳＳ（Secondary Synchronization Channel）であってもよい。端末装置１は、同期チャネ
ルの検出により、チャネル状態情報、および／または、物理セルＩＤを取得することができる。物理セルＩＤは、基地局装置３、セル、ビームＩＤ、または、送信ポイントを特定する情報であってもよい。
【００２８】
同期チャネルは、プレコーディング、または、フィルタリングが適用されてもよい。
【００２９】
以下物理チャネルおよび信号の説明を行う。
【００３０】
基地局装置３より送信されるチャネルは、同期チャネル、参照信号、報知チャネル、制御チャネル、共有チャネルを含んでもよい。同期チャネル、参照信号、報知チャネル、制御チャネル、および、共有チャネルを、物理チャネルとも称する。同期チャネルは、端末装置１がセルと、周波数、および／または、時間の同期をとるために送信されてもよい。参照信号は、参照信号以外の物理チャネルを復調するためのチャネル状態情報（または、受信品質情報）を取得するために送信されてもよい。報知チャネルは、セルに接続される複数の端末装置１に対して適用される情報を含むチャネルであってもよい。制御チャネルは、端末装置１（または端末装置１のグループ）に対して適用される情報を含むチャネルであってもよい。共有チャネルは、端末装置１（または端末装置１のグループ）に対して適用される情報を含むチャネルであってもよい。
【００３１】
例えば、同期チャネルは、ＰＳＳ、ＳＳＳのいずれかであってもよい。別の観点から見れば、ＰＳＳおよびＳＳＳは、報知チャネルを復調するための参照信号であってもよい。同期チャネルは、物理セルＩＤ、または、仮想セルＩＤ等のサービングセルに関する識別情報を通知する機能を備えてもよい。
【００３２】
例えば、参照信号は、ＣＲＳ（Cell specific Reference signal）、ＤＭＲＳ（DeModuration Reference signal）、ＵＥ−ＲＳ（UE specific - Reference signal）、ＣＳＩ
−ＲＳ（Channel State Information - Reference signal）、ＤＲＳ（Discovery Reference signal）のいずれかであってもよい。
【００３３】
ＰＳＳ、ＳＳＳ、および、参照信号を物理信号とも称する。物理チャネル、および、物理信号を、信号とも称する。
【００３４】
例えば、報知チャネルは、ＰＢＣＨ（Physical Broadcast CHannel）であってもよい。報知チャネルは、基地局装置３と端末装置１が通信するための主要な（Primary）情報（
ＭＩＢ）を含むチャネルであってもよい。
【００３５】
例えば、制御チャネルは、ＰＤＣＣＨ（Physical Downlink Control CHannel）、ＥＰ
ＤＣＣＨ（Enhanced Physical Downlink Control CHannel）、ＰＵＣＣＨ（Physical Uplink Control Channel）のいずれかであってもよい。制御チャネルは、共有チャネルの復
調のために必要な情報（例えば、スケジューリング情報等）を含むチャネルであってもよい。制御チャネルは、制御情報の集合を含んでもよい。例えば、制御情報の集合は、下りリンク制御情報（DCI: Downlink Control Information）であってもよい。例えば、制御
情報の集合は、下りリンクグラントであってもよい。例えば、制御情報の集合は、共有チャネルのために割り当てられる無線リソースを端末装置１に指示する制御情報（例えば、下りリンクグラント）を含んでもよい。制御チャネルは、上りリンク制御情報を含むチャネルであってもよい。上りリンク制御情報は、ＨＡＲＱ−ＡＣＫ、および／または、受信品質情報を少なくとも含んでもよい。ＨＡＲＱ−ＡＣＫは、トランスポートブロックに対応し、ACK（ACKnoledgement）またはＮＡＣＫ（Negative ACKnoledgement）を示す。
【００３６】
例えば、共有チャネルは、ＰＤＳＣＨ（Physical Downlink Shared CHannel）、ＰＵＳＣＨ（Physical Uplink Shared CHannel）、ＰＳＳＣＨ（Physical Sidelink Shared Channel）、ＰＳＣＨ（Physical Shared Channel）を含んでもよい。共有チャネルは、上位
層の信号を含むチャネルであってもよい。例えば、上位層の信号は、ＭＣＥ（MAC Control Element）に含まれる情報であってもよい。また、例えば、上位層の信号は、ＲＲＣ（Radio Resource Configuration）  ｓｉｇｎａｌｉｎｇに含まれる情報であってもよい。
共有チャネルは、上りリンク制御情報を含むチャネルであってもよい。
【００３７】
以下、本発明の端末装置１の装置構成について説明する。
【００３８】
図２は、本実施形態における端末装置１の構成例を示す概略ブロック図である。図示されるように、端末装置１は、上位層処理部１０１、制御部１０３、受信部１０５、送信部１０７および、送受信アンテナ１０９の少なくとも１つを含んで構成される。上位層処理部１０１は、無線リソース制御部１０１１、スケジューリング部１０１３の少なくとも１つを含んで構成される。受信部１０５は、復号化部１０５１、復調部１０５３、多重分離部１０５５、無線受信部１０５７とチャネル測定部１０５９の少なくとも１つを含んで構成される。送信部１０７は、符号化部１０７１、共有チャネル生成部１０７３、制御チャネル生成部１０７５、多重部１０７７、無線送信部１０７９と上りリンク参照信号生成部１０７１１の少なくとも１つを含んで構成される。
【００３９】
上位層処理部１０１は、ユーザーの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio
Resource Control: RRC）層の処理を行なう。また、上位層処理部１０１は制御チャネルで受信された下りリンク制御情報などに基づき、受信部１０５、および送信部１０７の制御を行なうために制御情報を生成し、制御部１０３に出力する。なお、媒体アクセス制御層の処理の一部は、制御部１０３において実施されてもよい。
【００４０】
上位層処理部１０１が備える無線リソース制御部１０１１は、自装置の各種設定情報の管理を行なう。また、無線リソース制御部１０１１は、上りリンクの各チャネルに配置される情報を生成し、送信部１０７に出力する。
【００４１】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従って共有チャネルを受信するよう、制御部１０３を介して受信部１０５を制御する。ここで、グラントは、共有チャネルに割り当てられるリソースを指示する情報であってもよい。
【００４２】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。制御部１０３は、復号化部１０５１からの復号化情報に基づいて、受信確認応答生成を行うことができる。制御部１０３は、復号化部１０５１からの復号化情報に基づいて、受信品質情報を生成することができる。制御部１０３は、チャネル測定部１０５９からのチャネル測定情報に基づいて、受信品質情報を生成することができる。ここで、受信品質情報が生成されるか否かは、条件Xに基づき与えられてもよい。制御部１０３は
、上りリンク制御情報を送信部１０７、または、受信部１０５に出力することができる。上りリンク制御情報は、受信確認応答、および、受信品質情報の少なくとも一方を含んでもよい。
【００４３】
制御部１０３は、媒体アクセス制御層の処理の一部（例えば、再送の指示等）を行う機能を備えてもよい。制御部１０３は、上位層処理部１０１に含まれる機能であってもよい。
【００４４】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００４５】
無線受信部１０５７は、送受信アンテナ１０９を介して受信した下りリンクの信号を直交復調し、直交復調されたアナログ信号をディジタル信号に変換する。例えば、無線受信部１０５７は、ディジタル信号に対して高速フーリエ変換（Fast Fourier Transform: FFT）を行い、周波数領域の信号を抽出してもよい。
【００４６】
多重分離部１０５５は、抽出した信号を制御チャネル、共有チャネル、および、参照信号チャネルに、それぞれ分離する。多重分離部１０５５は、分離した参照信号をチャネル測定部１０５９に出力する。
【００４７】
復調部１０５３は、制御チャネル、および、共有チャネルに対して、ＱＰＳＫ、１６ＱＡＭ（Quadrature Amplitude Modulation）、６４ＱＡＭ等の変調方式に対する復調を行
ない、復号化部１０５１へ出力する。
【００４８】
復号化部１０５１は、下りリンクデータの復号を行い、復号した下りリンクデータを上位層処理部１０１へ出力する。チャネル測定部１０５９は、参照信号からチャネル測定情報を算出し、該チャネル測定情報を多重分離部１０５５へ出力することができる。チャネル測定部１０５９は、該チャネル測定情報を上位層処理部１０１へ出力することができる。チャネル測定部１０５９は、該チャネル測定情報を制御部１０３へ出力することができる。
【００４９】
チャネル測定情報は、伝搬路（または、無線伝搬路、無線空間、無線経路、チャネル、無線チャネル、経路、媒体、無線媒体等）の推定に基づき与えられる情報であってもよい。伝搬路の推定に基づき与えられる情報は、多重分離部１０５５において、受信信号のチャネル等化（または、チャネル補償）等に用いられる。また、チャネル測定情報は、パスロス推定値、エネルギー検出値、受信強度推定値等であってもよい。つまり、チャネル測定情報は、統計的な情報（または、短区間の平均値、長区間の平均値等）であってもよい。
【００５０】
チャネル測定情報は、受信される参照信号の測定（または、評価、調査等）に基づき与えられてもよい。チャネル測定情報は、複数の参照信号（または、複数の参照信号のセット）の測定の平均により与えられてもよい。
【００５１】
受信品質情報は、BER（Bit Error Rate）予測値、BLER（BLock Error Rate）予測値、LLR（Log Likelihood Ratio）等に基づき与えられる情報であってもよい。つまり、受信品質情報は、復号化情報に基づき与えられてもよい。受信品質情報は、コードブロック（符号化ブロック）の誤り率に基づき与えられてもよい。コードブロックの誤り率は、復号化情報に基づき与えられてもよい。受信品質情報は、復号化情報に基づき与えられるインデックス（または、指標）であってもよい。コードブロックの説明は後述される。
【００５２】
復号化情報は、誤り訂正復号化に基づき与えられる情報である。復号化情報は、データが成功裏に復号できたか否かを示してもよい。復号化情報は、BER予測値、BLER予測値、LLRであってもよい。復号化情報は、基地局装置３から送信されるトランスポートブロック（または、データブロック、トランスポートデータ、送信データ、送信符号、送信ブロック、ペイロード、情報、情報ブロック、符号化データ等）を含むチャネルの受信強度に基づき与えられてもよい。BER予測値は、該トランスポートブロックに含まれるビット系列
（２値系列、ディジタル情報等）に含まれるビットそれぞれの誤り率（エラーレート）の予測値である。BLER予測値は、該トランスポートブロックの誤り率の予測値である。ここで、トランスポートブロックは、１、または、複数のコードブロックを含んでもよい。コードブロックは、誤り訂正符号化が施されるデータの単位であってもよい。また、トランスポートブロックは、上位層で管理されるデータの単位であってもよい。また、トランスポートブロックは、誤り訂正符号化が施される単位であってもよい。また、トランスポートブロックは、ＨＡＲＱ（Hybrid Automatic Repeat reQuest）によって再送されるデー
タの単位であってもよい。また、トランスポートブロックは、ＭＡＣ層におけるデータの単位であってもよい。
【００５３】
受信品質情報は、チャネル状態情報（CSI: Channel State Information）であってもよい。また、受信品質情報は、チャネル状態情報に基づき与えられるインデックス（または、指標）であってもよい。ここで、チャネル状態情報は、チャネル測定情報に基づき与えられてもよい。チャネル状態情報は、チャネル品質指標（CQI: Channel Quality Indicator）、プレコーディング行列指標（PMI: Precoding Matrix Indicator）、ランク指標（RI: Rank Indicator）であってもよい。チャネル品質指標は、伝搬路の受信強度であって
もよい。プレコーディング行列指標は、チャネルに適したプレコーディング行列を示す指標であってもよい。ランク指標は、チャネルに適したランクを示す指標であってもよい。ランクは、空間多重伝送における空間多重のための指数である。受信品質情報は、チャネル測定情報、または、復号化情報の量子化により与えられてもよい。例えば、チャネル測定情報がチャネルの受信強度推定値を示す場合、受信品質情報は、該受信強度推定値の量子化により与えられてもよい。例えば、受信品質情報のために４ビットが割り当てられる場合、該受信強度推定値が１６の状態に分類されてもよい。
【００５４】
送信部１０７は、制御部１０３から入力された制御信号に従って、上りリンク参照信号を生成し、上位層処理部１０１から入力された上りリンクデータや上りリンク制御情報を符号化および変調し、共有チャネル、制御チャネル、参照信号を多重し、送受信アンテナ１０９を介して基地局装置３に送信する。
【００５５】
符号化部１０７１は、上位層処理部１０１から入力された制御情報と上りリンクデータを符号化し、符号化ビットを共有チャネル生成部１０７３および／または制御チャネル生成部１０７５に出力する。
【００５６】
共有チャネル生成部１０７３は、符号化部１０７１から入力された符号化ビットを変調して変調シンボルを生成し、変調シンボルをＤＦＴすることによって共有チャネルを生成し、多重部１０７７へ出力してもよい。共有チャネル生成部１０７３は、符号化部１０７１から入力された符号化ビットを変調して共有チャネルを生成し、多重部１０７７へ出力してもよい。
【００５７】
制御チャネル生成部１０７５は、符号化部１０７１から入力された符号化ビット、および／または、ＳＲに基づいて、制御チャネルを生成し、多重部１０７７へ出力する。
【００５８】
上りリンク参照信号生成部１０７１１は上りリンク参照信号を生成し、生成した上りリンク参照信号を多重部１０７７へ出力する。
【００５９】
多重部１０７７は、制御部１０３から入力された制御信号に従って、共有チャネル生成部１０７３から入力された信号、および／または、制御チャネル生成部１０７５から入力された信号、および／または、上りリンク参照信号生成部１０７１１から入力された上りリンク参照信号を、送信アンテナポート毎に上りリンクのリソースに多重する。多重部１０７７は、多重された信号を無線送信部１０７９に出力する。
【００６０】
無線送信部１０７９は、多重された信号に対して逆高速フーリエ変換（Inverse Fast Fourier Transform: IFFT）を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００６１】
以下、本発明の基地局装置３の装置構成について説明する。
【００６２】
図３は、本実施形態における基地局装置３の構成例を示す概略ブロック図である。図示されるように、基地局装置３は、上位層処理部３０１、制御部３０３、受信部３０５、送信部３０７、および、送受信アンテナ３０９の少なくとも１つを含んで構成される。また、上位層処理部３０１は、無線リソース制御部３０１１とスケジューリング部３０１３の少なくとも１つを含んで構成される。また、受信部３０５は、データ復調／復号部３０５１、制御情報復調／復号部３０５３、多重分離部３０５５、無線受信部３０５７とチャネル測定部３０５９の少なくとも１つを含んで構成される。また、送信部３０７は、符号化部３０７１、変調部３０７３、多重部３０７５、無線送信部３０７７と下りリンク参照信号生成部３０７９の少なくとも１つを含んで構成される。
【００６３】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。なお、媒体アクセス制御層の処理の一部は、制御部３０３において実施されてもよい。
【００６４】
上位層処理部３０１が備える無線リソース制御部３０１１は、下りリンクの共有チャネルに配置される下りリンクデータ、ＲＲＣ  ｓｉｇｎａｌｉｎｇ、ＭＡＣ  ＣＥ（Control Element）を生成し、又は上位ノードから取得し、スケジューリング部３０１３、また
は、制御部３０３に出力することができる。また、無線リソース制御部３０１１は、端末装置１各々の各種設定情報の管理をする。
【００６５】
上位層処理部３０１が備えるスケジューリング部３０１３は、端末装置１に割り当てる共有チャネルや制御チャネルの無線リソースの管理を行う。スケジューリング部３０１３は、端末装置１に共有チャネルの無線リソースを割り当てた場合には、共有チャネルの無線リソースの割り当てを示す上りリンクグラントを生成し、生成した上りリンクグラントを送信部３０７へ出力する。
【００６６】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００６７】
制御部３０３は、媒体アクセス制御層の処理の一部（例えば、再送の指示等）を行う機能を備えてもよい。
【００６８】
受信部３０５は、制御部３０３から入力された制御信号に従って、送受信アンテナ３０９を介して端末装置１から受信した受信信号を分離、復調、復号し、復号した情報を上位層処理部３０１に出力する。
【００６９】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【００７０】
多重分離部３０５５は、無線受信部３０５７から入力された信号を制御チャネル、共有チャネル、参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、制御チャネルと共有チャネルの伝搬路の補償を行なう。また、多重分離部３０５５は、分離した参照信号チャネルをチャネル測定部３０５９に出力する。
【００７１】
多重分離部３０５５は、分離した制御チャネルと共有チャネルから、上りリンクデータを含む変調シンボルと上りリンク制御情報を含む変調シンボルを取得する。多重分離部３０５５は、共有チャネルの信号から取得した上りリンクデータを含む変調シンボルをデータ復調／復号部３０５１へ出力する。多重分離部３０５５は、制御チャネルまたは共有チャネルから取得した上りリンク制御情報を含む変調シンボルを制御情報復調／復号部３０５３へ出力する。
【００７２】
チャネル測定部３０５９は、多重分離部３０５５から入力された上りリンク参照信号から伝搬路の推定値、チャネルの品質などを測定し、多重分離部３０５５および上位層処理部３０１に出力する。
【００７３】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【００７４】
制御情報復調／復号部３０５３は、多重分離部３０５５から入力された上りリンク制御情報を含む変調シンボルからＨＡＲＱ−ＡＣＫを復号する。制御情報復調／復号部３０５３は、復号した上りリンク制御情報を上位層処理部３０１、または、制御部３０３へ出力することができる。
【００７５】
送信部３０７は、制御部３０３から入力された制御信号に従って、下りリンク参照信号を生成し、上位層処理部３０１から入力された下りリンク制御情報、下りリンクデータを符号化、および変調し、制御チャネル、共有チャネル、参照信号を多重して、送受信アンテナ３０９を介して端末装置１に信号を送信する。
【００７６】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。変調部３０７３は、変調シンボルにプリコーディングを適用してもよい。プレコーディングは、送信プレコードを含んでもよい。なお、プレコーディングとは、プレコーダが乗算される（適用される）ことであってもよい。
【００７７】
下りリンク参照信号生成部３０７９は下りリンク参照信号を生成する。多重部３０７５は、各チャネルの変調シンボルと下りリンク参照信号を多重し、送信シンボルを生成する。
【００７８】
多重部３０７５は、送信シンボルにプレコーディングを適用してもよい。多重部３０７５が送信シンボルに適用するプレコーディングは、下りリンク参照信号、および／または、変調シンボルに対して適用されてもよい。また、下りリンク参照信号に適用されるプレコーディングと、変調シンボルに対して適用されるプレコーディングは、同一であってもよいし、異なってもよい。
【００７９】
無線送信部３０７７は、多重された送信シンボルなどを逆高速フーリエ変換（Inverse Fast Fourier Transform: IFFT）して、時間シンボルを生成する。無線送信部３０７７は、時間シンボルに対してＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、搬送波信号（Carrier signal, Carrier, RF signal等）を生成する。無線送信部３０７７は、搬送波信号に対して、電力増幅し、送受信アンテナ３０９に出力して送信する。
【００８０】
以下、上りリンクの通信を例にとり、制御部１０３の説明を行う。なお、制御部１０３が備える機能は、上位層部１０１、上位層部３０１、制御部３０３が同様に備えてもよい。
【００８１】
制御部１０３は、少なくとも受信確認応答に基づき、受信品質情報を生成するか否かを決定してもよい。また、制御部１０３は、少なくともチャネル測定情報に基づき、受信品質情報を生成することができる。また、制御部１０３は、少なくとも復号化情報に基づき、受信品質情報を生成することができる。
【００８２】
制御部１０３は、受信確認応答がACK（ACKnoledgement）を示す場合に、受信品質情報
を生成しなくてもよい。また、制御部１０３は、受信確認応答がNACK（Negative ACKnoledgement）を示す場合に、受信品質情報を生成してもよい。制御部１０３は、受信確認応
答がACK（ACKnoledgement）を示す場合に、受信品質情報を生成してもよい。また、制御
部１０３は、受信確認応答がNACK（Negative ACKnoledgement）を示す場合に、受信品質
情報を生成しなくてもよい。制御部１０３は、受信確認応答がACKを示す場合に、第１の
受信品質情報を生成してもよい。制御部１０３は、受信確認応答がNACKを示す場合に、第２の受信品質情報を生成してもよい。第１の受信品質情報と第２の受信品質情報のビット数は異なってもよい。例えば、第２の受信品質情報のビット数は、第１の受信品質情報のビット数より多くてもよい。例えば、第１の受信品質情報と第２の受信品質情報の値のそれぞれが対応するレンジは異なってもよい。例えば、第２の受信品質情報が対応するレンジは、第１の受信品質情報が対応するレンジよりも大きくてもよい。また、第１の受信品質情報と第２の受信品質情報の粒度（または、量子化の粒度）は異なってもよい。例えば、第２の受信品質情報の粒度は、第１の受信品質情報の粒度より細かくてもよい。
【００８３】
制御部１０３は、受信品質情報が生成されない場合、少なくとも受信確認応答を含む上りリンク制御情報を送信部１０５に出力してもよい。また、制御部１０３は、受信品質情報が生成される場合、少なくとも該受信品質情報を含む上りリンク制御情報を送信部１０５に出力してもよい。また、制御部１０３は、受信品質情報が生成される場合、少なくとも該受信品質情報と受信確認応答を含む上りリンク制御情報を送信部１０５に出力してもよい。受信品質情報と受信確認応答を含む上りリンク制御情報は、該受信品質情報のための情報ビットと該受信確認応答のための情報ビットが結合されることにより与えられてもよい。受信品質情報と受信確認応答を含む上りリンク制御情報は、該受信品質情報に対応する符号点を示すビット系列と該受信確認応答に対応する符号点を示すビット系列の結合により与えられてもよい。受信品質情報と受信確認応答を含む上りリンク制御情報は、ジ
ョイントコーディングにより、該受信品質情報と該受信確認応答に対応する符号点のビット系列により与えられてもよい。ジョイントコーディングの例は後述される。
【００８４】
制御部１０３は、上りリンク制御情報に対応する符号点（コードポイント、code point、マッピング）を決定してもよい。符号点とは、例えば、２値のビット系列の各々の状態であってもよい。制御部１０３は、符号点に割り当てられる上りリンク制御情報を決定してもよい。
【００８５】
図４は、符号点に割り当てられる受信確認応答の一例である。図４に示される一例では、受信確認応答のために１ビットが割り当てられ、２つの符号点が与えられている。符号点０がACKを示し、符号点１がNACKを示す。つまり、符号点０は、ACKのために割り当てられ、符号点１は、NACKのために割り当てられる。
【００８６】
図５は、符号点に割り当てられる受信品質情報の一例である。図５に示される一例では、受信品質情報のために２ビットが割り当てられ、４つの符号点が与えられている。符号点００が状態１を示し、符号点０１が状態２を示し、符号点１０が状態３を示し、符号点１１が状態４を示す。状態１から状態４のそれぞれは、受信品質情報に基づき与えられる。つまり、符号点００は、状態１のために割り当てられ、符号点０１は、状態２のために割り当てられ、符号点１０は、状態３のために割り当てられ、符号点１１は、状態４のために割り当てられる。
【００８７】
図６は、第１のジョイントコーディング（Joint coding）により、符号点に割り当てられる上りリンク制御情報の一例である。図６に示される一例では、上りリンク制御情報のために２ビットが割り当てられ、４つの符号点が与えられている。ジョイントコーディングは、図６に示されるように、符号点に対して複数の制御情報を対応させることであってもよい。図６において、符号点００は、受信確認応答がACKであり、かつ、受信品質情報
が状態１であることを示す。また、符号点０１は、受信確認応答がACKであり、かつ、受
信品質情報が状態２であることを示す。また、符号点１０は、受信確認応答がNACKであり、かつ、受信品質情報が状態１であることを示す。また、符号点１１は、受信確認応答がNACKであり、かつ、受信品質情報が状態２であることを示す。つまり、符号点００は、ACKのために割り当てられ、かつ、状態１のために割り当てられる。また、符号点０１は、ACKのために割り当てられ、かつ、状態２のために割り当てられる。また、符号点１０は、NACKのために割り当てられ、かつ、状態１のために割り当てられる。また、符号点１１は、NACKのために割り当てられ、かつ、状態２のために割り当てられる。
【００８８】
図７は、第２のジョイントコーディングにより、符号点に割り当てられる上りリンク制御情報の一例である。図７に示される一例では、上りリンク制御情報のために２ビットが割り当てられ、４つの符号点が与えられている。図７に示される一例では、４つの符号点のうち１つのみがACKのために割り当てられ、３つの符号点がNACKのために割り当てられ
ている。図７において、符号点００は、ACKを示すが、対応する受信状態情報はない。こ
れは、受信確認応答がACKであることを示す符号点が、符号点００のみであることに起因
する。また、図７において、符号点０１は、受信確認応答がNACKであり、かつ、受信品質情報が状態１であることを示す。また、符号点１０は、受信確認応答がNACKであり、かつ、受信品質情報が状態２であることを示す。また、符号点１１は、受信確認応答がNACKであり、かつ、受信品質情報が状態３であることを示す。受信確認応答がNACKであることを示す符号点は３つ存在するため、受信確認応答がNACKの場合には、受信品質状態が３つの状態として表現可能である。つまり、符号点００は、ACKのために割り当てられる。また
、符号点０１は、NACKのために割り当てられ、かつ、状態１のために割り当てられる。また、符号点１０は、NACKのために割り当てられ、かつ、状態２のために割り当てられる。また、符号点１１は、NACKのために割り当てられ、かつ、状態３のために割り当てられる
。
【００８９】
第２のジョイントコーディングにより、受信確認応答がNACKであることを示す符号点が、受信確認応答がACKであることを示す符号点に対して多くなることにより、NACKからACKへの誤り率低減効果が期待される。つまり、第２のジョイントコーディングにより与えられる上りリンク制御情報がNACKを示す場合、該上りリンク制御情報を受信する基地局装置３において、該上りリンク制御情報に基づき受信確認応答がACKを示していると誤って判
断される確率の低減が期待される。一般に、ACKからNACKへの誤り率よりもNACKからACKへの誤り率が低いことが好適である。
【００９０】
制御部１０３は、ACKのために割り当てられる符号点の数が、NACKのために割り当てら
れる符号点の数より多くなるように、符号点に割り当てられる上りリンク制御情報を決定してもよい。ここで、ACKのために割り当てられる符号点に対して、受信品質情報が割り
当てられなくてもよい。また、NACKのために割り当てられる符号点に対して、受信品質情報が割り当てられてもよい。
【００９１】
制御部１０３により生成される上りリンク制御情報は、送信部１０７により符号化されてもよい。制御部１０３により生成される上りリンク制御情報は、送信部１０７により符号化されなくてもよい。制御部１０３により生成される上りリンク制御情報は、送信部１０７によりQPSK、16QAM、または、64QAM等の変調が施されてもよい。図８は、上りリンク制御情報と変調の関係を示す図である。I軸（I axis）は、実数軸であり、Q軸（Q axis）は、虚数軸である。図８に示される一例では、上りリンク制御情報はQPSK変調が施されている。また、QPSK変調点の各々に対し、１つの符号点が対応する。図８に示す一例において、変調点の間の距離が最も大きいのは、符号点００と符号点１１のセット、および、符号点０１と符号点１０のセットである。変調点の間の距離が大きいことは、誤り確率が小さいことを意味するため、変調点の間の距離を考慮した上りリンク制御情報の設計が可能である。例えば、図７に示されるように、第２のジョイントコーディングに基づき与えられる上りリンク制御情報において、符号点１１における受信品質情報が示す状態３は、状態１から状態３において最も受信品質が劣化していることを示してもよい。
【００９２】
例えば、第１のジョイントコーディングに基づき、符号点に割り当てられる上りリンク制御情報が与えられる場合、受信確認応答が示す情報（ACKまたはNACK）によらず、上り
リンク制御情報に受信品質情報が含まれる。一方、第２のジョイントコーディングに基づき、符号点に割り当てられる上りリンク制御情報が与えられる場合、受信確認応答がNACKを示す場合において、上りリンク制御情報に受信品質情報が含まれる。また、第２のジョイントコーディングに基づき、符号点に割り当てられる上りリンク制御情報が与えられる場合、受信確認応答がACKを示す場合において、上りリンク制御情報に受信品質情報が含
まれない。
【００９３】
以下、端末装置１、および、基地局装置３の動作の手順を説明する。なお、以下では、端末装置１が含む装置（上位層処理部１０１、制御部１０３、受信部１０５、送信部１０７および、送受信アンテナ１０９）により実施される動作は、端末装置１の動作として説明される。また、基地局装置３が含む装置（上位層処理部３０１、制御部３０３、受信部３０５、送信部３０７、および、送受信アンテナ３０９）により実施される動作は、基地局装置３の動作として説明される。
【００９４】
図９は、本発明の一態様に係る端末装置１、および、基地局装置３の動作の手順の一例を示すシーケンスチャートである。ステップ９００１において、基地局装置３は、端末装置１に向けて、トランスポートブロックを含む共有チャネルを送信する。ここで、ステップ９００１は、基地局装置３が、端末装置１に向けて、該共有チャネルのために割り当て
られる無線リソースを端末装置１に指示する制御情報を含む制御チャネルを送信するステップを含んでもよい。次いで、ステップ９００２において、端末装置１は、該共有チャネルを受信し、該トランスポートブロックの復号を行う。ここで、ステップ９００２は、端末装置１が、該制御チャネルを受信し、該制御情報を復号してもよい。つまり、ステップ９００２において、端末装置１は、該制御情報に基づき、該共有チャネルに割り当てられる無線リソースを決定してもよい。次いで、ステップ９００３において、端末装置１は、該トランスポートブロックの復号に基づき、受信確認応答を生成する。例えば、該トランスポートブロックの復号が成功裏に完了した場合（例えば、誤り検出のために付加されるビット系列（巡回冗長検査系列など）による検査において、誤りが検出されない場合等）、受信確認応答はACKであってもよい。また、該トランスポートブロックの復号が失敗し
た場合（例えば、誤り検出のために付加されるビット系列による検査において、誤りが検出される場合）、受信確認応答はNACKであってもよい。
【００９５】
次いで、ステップ９００４において、端末装置１は、該受信確認応答に基づき、受信品質情報を生成するか否かを決定する。ステップ９００４において、端末装置１は、該受信確認応答がNACKであることに基づき、受信品質情報を生成してもよい。ステップ９００４において、該受信品質情報は、該受信確認応答の生成に用いられる該トランスポートブロックを含む該共有チャネルに含まれる（または、該共有チャネルの復調に用いられる）参照信号の測定に基づき与えられるチャネル測定情報に基づき与えられてもよい。また、該受信品質情報は、該受信確認応答の生成に用いられる該トランスポートブロックを含む該共有チャネルを指示する制御チャネルに含まれる参照信号に基づき与えられるチャネル測定情報に基づき与えられてもよい。また、該受信品質情報は、該共有チャネルおよび該制御チャネルに含まれる参照信号に基づき与えられるチャネル測定情報に基づき与えられてもよい。また、該受信品質情報は、該受信確認応答の生成に用いられる該トランスポートブロックの復号化において生成される復号化情報に基づき与えられてもよい。ここで、ステップ９００４は、端末装置１が、符号点に割り当てられる上りリンク制御情報を決定するステップを含んでもよい。
【００９６】
次いで、ステップ９００５において、該受信確認応答、および／または、該受信品質情報の少なくとも一方を含む上りリンク制御情報を含むチャネル（例えば、共有チャネル、または、制御チャネル等）を基地局装置３に向けて、送信する。次いで、ステップ９００６において、基地局装置３は、受信したチャネルに含まれる上りリンク制御情報に基づき、該トランスポートブロックの再送をするか否かを決定する。ステップ９００６において、基地局装置３は、受信したチャネルに含まれる上りリンク制御情報に基づき、該トランスポートブロックの再送のスケジューリングをしてもよい。例えば、該受信確認応答がACKを示す場合、該トランスポートブロックの再送は行われなくてもよい。また、例えば、
該受信確認応答がNACKを示す場合、該トランスポートブロックの再送を行ってもよい。本手順において、基地局装置３は、ステップ９００６において該受信品質情報を検出できた場合、該トランスポートブロックの再送に割り当てられる無線リソースや、符号化に用いられるパラメータ（符号化率や、変調方式）等を好適に選択することができ、周波数利用効率の改善が期待される。
【００９７】
ステップ９００６において、基地局装置３は、該受信確認応答の検出に基づき、受信品質情報を検出するか否かを決定してもよい。例えば、該受信確認応答のためのビット系列と、該受信品質情報のためのビット系列が結合されることにより該上りリンク制御情報が与えられている場合、該受信確認応答が示す値（ACKまたはNACK）の検出に基づき、該上
りリンク制御情報が該受信品質情報を含むか否かが決定されることが好適である。
【００９８】
ステップ９００１からステップ９００６に示される手順の一例において、基地局装置３によりトランスポートブロックの再送が発生する場合には、トランスポートブロックの再
送に係る無線リソースや符号化に用いられるパラメータを決定するために用いられる情報が端末装置１から基地局装置３に提供されることが好適である。そのため、ステップ９００４において、受信確認応答に基づき受信品質情報を生成するか否かが与えられることは、基地局装置３において、再送に係る無線リソースや符号化に用いられるパラメータを決定する情報の提供を実現する。例えば、ステップ９００５において、端末装置１は、上りリンクチャネルを用いて、上りリンク制御情報に受信品質情報を含めて送信してもよい。一方で、上りリンクチャネルのリソースが有限であることや、基地局装置３において受信される受信確認応答の誤り率が低いことが好適であることに鑑みて、受信品質情報が含まれる上りリンク制御情報は、所定の条件に基づき、適宜送信されることが好適である。例えば、ステップ９００１からステップ９００６に示される手順の一例において、トランスポートブロックの再送が発生する場合、受信品質情報が端末装置１から基地局装置３に提供されることが好適である。これは、基地局装置３から端末装置１に送信されるトランスポートブロックの数が少ない場合（小データ通信等）において特に有効である。つまり、ステップ９００４において、受信品質情報が生成されるか否かは、受信確認応答に基づき与えられることが好適である。一方、複数のトランスポートブロックが送信される場合（特に、大容量データ通信等）においては、ステップ９００６において基地局装置３がACK
を示す受信確認応答を受信した場合でも、次のトランスポートブロックの送信に係る無線リソースや符号化に用いられるパラメータを決定するために受信品質情報が端末装置１から基地局装置３に提供されることが好適である。このような場合、ステップ９００４において、受信品質情報が生成されるか否かは、受信確認応答に基づかなくてもよい。
【００９９】
図１０は、本発明の一態様に係る端末装置１、および、基地局装置３の手順の一例を示すシーケンスチャートである。ステップ１０００１における基地局装置３の動作は、ステップ９００１の動作と同様である。ここで、ステップ１０００１におけるトランスポートブロックの送信は、新規送信（new transmission）、または、初送（initial transmission）とも呼称される。また、初送において、該トランスポートブロックを含む共有チャネルは、第１の共有チャネルとも呼称される。また、初送において、該共有チャネルを指示する制御情報を含む制御チャネルは、第１の制御チャネルとも呼称される。次いで、端末装置１は、ステップ１０００２を実施する。ここで、ステップ１０００２の動作は、ステップ９００２からステップ９００５の動作と同様である。ここで、ステップ１０００２において生成される受信確認応答は、第１の受信確認応答とも呼称される。また、ステップ１０００２において生成される受信品質情報は、第１の受信品質情報とも呼称される。また、ステップ１０００２において、端末装置１より送信される共有チャネルに含まれる上りリンク制御情報は、第１の上りリンク制御情報とも呼称される。
【０１００】
次いで、ステップ１０００３において、基地局装置３は、ステップ１０００２において受信されたチャネルに含まれる上りリンク制御情報に基づき、該トランスポートブロックを再送するか否かを決定してもよい。ここで、ステップ１０００３において、基地局装置３は、該トランスポートブロックを再送することを決定したものと仮定する。つまり、ステップ１０００３において、基地局装置３は、該トランスポートブロックを含む第２の共有チャネルを送信する。ここで、基地局装置３は、該第２の共有チャネルを指示する制御情報を含む第２の制御チャネルを送信してもよい。次いで、ステップ１０００４において、端末装置１は、該第２の共有チャネルを受信し、該トランスポートブロックの復号を行う。ここで、該トランスポートブロックの復号は、該第１の共有チャネル、および／または、該第２の共有チャネルに基づき行われてもよい。また、ステップ１０００４において、端末装置１は、該第２の制御チャネルを受信してもよい。
【０１０１】
次いで、ステップ１０００５において、該トランスポートブロックの復号に基づき、第２の受信確認応答の生成を行う。次いで、ステップ１０００６において、該第２の受信確認応答に基づき、第２の受信品質情報を生成する。ステップ１０００４において、該第２
の受信品質情報は、該第１の受信確認応答の生成に用いられる該トランスポートブロックを含む該第１の共有チャネルに含まれる（または、該第１の共有チャネルの復調に用いられる）参照信号の測定に基づき与えられる第１のチャネル測定情報に基づき与えられてもよい。また、該第２の受信品質情報は、該第２の受信確認応答の生成に用いられる該トランスポートブロックを含む該第２の共有チャネルに含まれる（または、該第２の共有チャネルの復調に用いられる）参照信号の測定に基づき与えられる第２のチャネル測定情報に基づき与えられてもよい。また、該第２の受信品質情報は、該第１のチャネル測定情報、および、該第２のチャネル測定情報に基づき与えられてもよい。例えば、該第２の受信品質情報は、該第１のチャネル測定情報、および、該第２のチャネル測定情報の平均値により与えられてもよい。また、該第２の受信品質情報は、該第１のチャネル測定情報、および、該第２のチャネル測定情報の重みつき平均値（例えば、忘却係数等の係数に基づくフィルタリング等）により与えられてもよい。また、該第２の受信品質情報は、該第１の共有チャネルと該第２の共有チャネルの中で、受信品質の高い共有チャネルを指示する情報であってもよい。次いで、ステップ１０００７において、端末装置１は、該第２の受信確認応答、および／または、該第２の受信品質情報の少なくとも一方を含む第２の上りリンク制御情報を含むチャネル（例えば、共有チャネル、または、制御チャネル等）を基地局装置３に向けて、送信する。次いで、ステップ１０００８において、基地局装置３は、受信した該チャネルに含まれる該第２の上りリンク制御情報に基づき、該トランスポートブロックの再送をするか否かを決定する。ステップ１０００８において、基地局装置３は、該第２の上りリンク制御情報に基づき、該トランスポートブロックの再送のスケジューリングをしてもよい。
【０１０２】
つまり、端末装置１は、１つのトランスポートブロックが再送される場合、該トランスポートブロックを含む複数の共有チャネルを受信してもよい。該複数の共有チャネルが受信される場合、受信品質情報は、該複数の共有チャネルにおいて、最近（Latest）に受信した共有チャネルに基づいて与えられてもよい。同じトランスポートブロックを含む複数の共有チャネルのうちの最近に受信した共有チャネルは、同じトランスポートブロックを含む複数の共有チャネルのうちの最後（Last）に受信した共有チャネルである。
【０１０３】
また、該複数の共有チャネルが受信される場合、受信品質情報は、該複数の共有チャネルのうちのいずれか１つに基づき与えられてもよい。また、該複数の共有チャネルが受信される場合、受信品質情報は、該複数の共有チャネルの一部（共有チャネルのセット）に基づき与えられてもよい。また、該複数の共有チャネルが受信される場合、受信品質情報は、該複数の共有チャネルのすべてに基づき、与えられてもよい。
【０１０４】
ステップ１０００３、および、ステップ１０００８において、基地局装置３は、該受信確認応答の検出に基づき、受信品質情報を検出するか否かを決定してもよい。
【０１０５】
図１１は、本発明の一態様に係る端末装置１、および、基地局装置３の手順の一例を示すシーケンスチャートである。ステップ１１００１において、基地局装置３は、第１のトランスポートブロックを含む第１の共有チャネルを送信する。ここで、該第１の共有チャネルの送信は、初送であってもよいし、再送であってもよい。次いで、ステップ１１００２において、基地局装置３は、第１のトランスポートブロックとは異なる第２のトランスポートブロックを含む第２の共有チャネルを送信する。ここで、該第２の共有チャネルの送信は、初送であってもよいし、再送であってもよい。ここで、該第１の共有チャネル、および、該第２の共有チャネルは、異なる時刻（または、スロット、サブフレーム、フレーム等）において送信されてもよい。また、該第１の共有チャネル、および、該第２の共有チャネルは、同一の時刻（または、スロット、サブフレーム、フレーム等）において送信されてもよい。
【０１０６】
次いで、端末装置１は、ステップ１１００３を実施する。ここで、ステップ１１００３は、ステップ９００２からステップ９００５の動作と同様である。ここで、ステップ１１００２において生成される受信確認応答は、第１の受信確認応答とも呼称される。また、ステップ１１００２において生成される受信品質情報は、第１の受信品質情報とも呼称される。また、ステップ１１００２において、端末装置１より送信される共有チャネルに含まれる上りリンク制御情報は、第１の上りリンク制御情報とも呼称される。
【０１０７】
次いで、端末装置１は、ステップ１１００４を実施する。ここで、ステップ１１００４は、ステップ９００２からステップ９００５の動作と同様である。ここで、ステップ１１００４において生成される受信確認応答は、第２の受信確認応答とも呼称される。また、ステップ１１００４において生成される受信品質情報は、第２の受信品質情報とも呼称される。また、ステップ１１００４において、端末装置１より送信される共有チャネルに含まれる上りリンク制御情報は、第２の上りリンク制御情報とも呼称される。
【０１０８】
ステップ１１００４において、第２の受信品質情報は、少なくとも第２のトランスポートブロックを含む第２の共有チャネルに含まれる第２の参照信号に基づき与えられる。ここで、第２の受信品質情報は、第１のトランスポートブロックを含む第１の共有チャネルに含まれる第１の参照信号に基づかない。つまり、第２の受信品質情報の算出において、第１の参照信号と第２の参照信号の平均化は行われなくてもよい。第１のトランスポートブロック、および、第２のトランスポートブロックは、それぞれ異なるサービスから提供される可能性がある。そのため、ただ単に送信時刻（または、スロット、サブフレーム、フレーム等）が近いというだけで、第１の参照信号、および、第２の参照信号の平均化を行うことは重要ではない場合がある。しかし、所定の理由により、第１のトランスポートブロック、および、第２のトランスポートブロックが関連付けられている場合、第２の受信品質情報は第１の参照信号、および、第２の参照信号の平均化に基づき与えられてもよい。ここで、所定の理由は、例えば、第１のトランスポートブロック、および、第２のトランスポートブロックのベアラが同一である場合、第１のトランスポートブロック、および、第２のトランスポートブロックの受信を指示する制御情報（例えば、下りリンクグラント）のフォーマット等が共通である場合、第１のトランスポートブロック、および、第２のトランスポートブロックにおいて初送と再送の関係がある場合、を含む。
【０１０９】
次いで、ステップ１１００５において、基地局装置３は、該第１の上りリンク制御情報に基づき該第１のトランスポートブロックの再送をするか否かを決定し、且つ、該第２の上りリンク制御情報に基づき該第２のトランスポートブロックの再送をするか否かを決定する。ステップ１１００５において、基地局装置３は、該第１の上りリンク制御情報に基づき該第１のトランスポートブロックの再送のスケジューリングをしてもよく、且つ、該第２の上りリンク制御情報に基づき該第２のトランスポートブロックの再送のスケジューリングをしてもよい。
【０１１０】
ステップ１１００５において、基地局装置３は、該受信確認応答の検出に基づき、受信品質情報を検出するか否かを決定してもよい。
【０１１１】
受信品質情報が送信されるか否かは、少なくとも受信確認応答に基づき与えられてもよい。また、受信品質情報が上りリンク制御情報に含まれるか否かは、少なくとも受信確認応答に基づき与えられてもよい。また、受信品質情報が生成されるか否かは、少なくとも受信確認応答に基づき与えられてもよい。また、符号点に割り当てられる上りリンク制御情報は、少なくとも受信確認応答に基づき与えられてもよい。
【０１１２】
受信品質情報が送信されるか否かは、条件Xに基づき与えられてもよい。また、受信品
質情報が上りリンク制御情報に含まれるか否かは、条件Xに基づき与えられてもよい。ま
た、受信品質情報が生成されるか否かは、条件Ｘに基づき与えられてもよい。また、符号点に割り当てられる上りリンク制御情報は、条件Xに基づき与えられてもよい。条件Xは、条件X1から条件X11の少なくとも一部を含んでもよい。条件Xは、条件X1から条件X11以外
の条件を含んでもよい。
【０１１３】
条件X1は、受信確認応答の生成に用いられるトランスポートブロックを含む共有チャネルのために想定されるReference SCSが所定の値x1であるか否か、である。ここで、所定
の値x1は、例えば、15 kHzであってもよいし、30 kHzであってもよい。また、所定の値x1は、Reference SCSの範囲を示してもよい。例えば、所定の値x1は、15 kHzから120 kHzの値を含んでもよい。
【０１１４】
条件X2は、受信確認応答が対応するトランスポートブロックを含む共有チャネルのために設定されるサブフレームの長さが所定の長さx2であるか否か、である。ここで、所定の長さx2は、例えば、1 msであってもよいし、0.5 msであってもよい。また、所定の値x2は、サブフレームの長さの範囲を示してもよい。例えば、所定の値x2は、0.1 msから2 msの値を含んでもよい。
【０１１５】
条件X3は、受信確認応答が対応するトランスポートブロックを含む共有チャネルの送信間隔の長さが所定の長さx3であるか否か、である。所定の長さx3は、例えば、1 msであってもよいし、0.5 msであってもよい。また、所定の値x3は、サブフレームの長さの範囲を示してもよい。例えば、所定の値x3は、0.1 msから2 msの値を含んでもよい。また、送信間隔は、スロットの長さであってもよい。また、送信間隔は、mini-slotの長さであって
もよい。
【０１１６】
条件X4は、受信確認応答の生成に用いられるトランスポートブロックを含む共有チャネルに適用されるActual SCSが所定の値x4であるか否か、である。ここで、所定の値x4は、例えば、15 kHzであってもよいし、30 kHzであってもよい。また、所定の値x4は、Actual
SCSの範囲を示してもよい。例えば、所定の値x1は、15 kHzから120 kHzの値を含んでも
よい。
【０１１７】
条件X5は、受信確認応答の生成に用いられるトランスポートブロックを含む共有チャネルに適用される伝送方式が所定の方式x5であるか否か、である。ここで、所定の方式x5は、例えば、OFDMであってもよいし、DFT-S-OFDMであってもよい。
【０１１８】
条件X6は、受信確認応答の生成に用いられるトランスポートブロックに適用される誤り訂正符号化の方式が所定の方式x6であるか否か、である。ここで、所定の方式x6は、例えば、ターボ符号であってもよいし、LDPC符号であってもよいし、畳み込み符号であってもよいし、TBCC（Tail biting Convolutional code）であってもよい。
【０１１９】
条件X7は、受信確認応答の生成に用いられるトランスポートブロックに適用される誤り訂正符号の符号化率が所定の値x7であるか否か、である。ここで、所定の値x7は、例えば、1/3あってもよいし、1/5であってもよい。また、所定の値x7は、符号化率の範囲を示してもよい。例えば、所定の値x7は、1/10から1/2の値を含んでもよい。
【０１２０】
条件X8は、受信確認応答の生成に用いられるトランスポートブロックの共有チャネルへのマッピング方法が、所定の方法x8であるか否か、である。ここで、x8は、例えば、時間軸を基準にマッピングする方法（Time-first mapping）であってもよいし、周波数を基準にマッピングする方法（Frequency first mapping）であってもよい。
【０１２１】
条件X9は、受信確認応答の生成に用いられるトランスポートブロックを含む共有チャネ
ルと、該受信確認応答を含むチャネルとの間に設定される、処理時間が所定の長さx9であるか否か、である。ここで、処理時間は、該共有チャネルと該チャネルの送信の間の間隔（インターバル）であってもよい。ここで、条件x9は、例えば、1 msであってもよいし、3 msであってもよい。また、条件x9は、サブフレームの長さの定数倍、スロットの長さの定数倍、シンボルの長さの整数倍等により表現されてもよい。また、所定の長さx9は、処理時間の範囲を示してもよい。例えば、所定の長さx9は、0.2 msから2 msの間であってもよい。
【０１２２】
条件X10は、基地局装置３から送信される上位層の信号（例えば、RRC signaling等）や、制御チャネル、に含まれる情報が、受信品質情報を送信することをトリガするようにセットされているか否か、であってもよい。
【０１２３】
条件X11は、受信確認応答が所定の値X11であるか否かであってもよい。例えば、所定の値X11はACKであってもよいし、NACKであってもよい。
【０１２４】
以下、本実施形態における、端末装置１、および、基地局装置３の種々の態様について説明する。
【０１２５】
（１）上記の目的を達成するために、本発明の態様は、以下のような手段を講じた。すなわち、本発明の第１の態様は、端末装置１であって、共有チャネルを受信する受信部１０５と、前記共有チャネルに含まれるトランスポートブロックが成功裏に（successfully）復号されたか否かに基づいて、確認応答を生成する復号化部１０５１と、前記確認応答を含む上りリンク制御情報を送信する送信部１０７と、を備え、前記上りリンク制御情報が受信品質情報を含むか否かは、少なくとも前記確認応答に基づき与えられ、前記受信品質情報は、前記受信部１０５によって受信された信号に基づいて与えられる。
【０１２６】
（２）また、本発明の第１の態様において、前記確認応答がACKを示す場合に、前記受
信品質情報は前記上りリンク制御情報に含まれず、前記確認応答がNACKを示す場合に、前記受信品質情報は前記上りリンク制御情報に含まれる。
【０１２７】
（３）また、本発明の第１の態様において、前記ACKを示す前記上りリンク制御情報が
割り当てられる符号点の数は、前記NACKを示す前記上りリンク制御情報が割り当てられる符号点の数よりも少ない。
【０１２８】
（４）また、本発明の第１の態様において、前記共有チャネルは第１の共有チャネルであり、前記確認応答は第１の確認応答であり、前記受信部１０５は、前記第１の共有チャネルとは異なる第２の共有チャネルを受信し、前記復号化部１０５１は、前記第２の共有チャネルに含まれる前記トランスポートブロックが成功裏に（successfully）復号されたか否かに基づいて、第２の確認応答を生成し、前記受信品質情報は、少なくとも前記第２の共有チャネル、および／または、前記第２の共有チャネルに関連する参照信号に基づき生成される。
【０１２９】
（５）また、本発明の第２の態様は、基地局装置３であって、トランスポートブロックを含む共有チャネルを端末装置に送信する送信部３０７と、前記トランスポートブロックに対応する確認応答を含む上りリンク制御情報を前記端末装置１から受信する受信部３０５と、を備え、前記上りリンク制御情報が受信品質情報を含むか否かは、前記確認応答に基づき与えられ、前記受信品質情報は、前記端末装置１によって受信された信号に基づいて与えられる。
【０１３０】
（６）また、本発明の第２の態様において、前記確認応答がACKと検出された場合に、
前記受信品質情報は前記上りリンク制御情報に含まれず、前記確認応答がNACKを示す場合に、前記受信品質情報は前記上りリンク制御情報に含まれる。
【０１３１】
（７）また、本発明の第２の態様において、前記ACKを示す前記上りリンク制御情報が
割り当てられる符号点の数は、前記NACKを示す前記上りリンク制御情報が割り当てられる符号点の数よりも少ない。
【０１３２】
（８）また、本発明の第２の態様において、前記共有チャネルは第１の共有チャネルであり、前記確認応答は第１の確認応答であり、前記送信部３０７は、前記第１の共有チャネルとは異なる第２の共有チャネルを送信し、前記受信品質情報は、少なくとも前記端末装置１によって受信された前記第２の共有チャネル、および／または、前記第２の共有チャネルに関連する参照信号に基づいて与えられる。
【０１３３】
ここで、確認応答は、受信確認応答であってもよい。また、信号は、物理チャネル、物理信号、共有チャネル、制御チャネル、または、参照信号のいずれであってもよい。
【０１３４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１３５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１３６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１３７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１３９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１４０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１４１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１４２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１４３】
１（１Ａ、１Ｂ、１Ｃ）  端末装置
３  基地局装置
１０１、３０１  上位層処理部
１０３、３０３  制御部
１０５、３０５  受信部
１０７、３０７  送信部
１０９、３０９  送受信アンテナ
１０１１、３０１１  無線リソース制御部
１０１３、３０１３  スケジューリング部
１０５１  復号化部
１０５３  復調部
１０５５、３０５５  多重分離部
１０５７、３０５７  無線受信部
１０５９、３０５９  チャネル測定部
１０７１、３０７１  符号化部
１０７３  共有チャネル生成部
１０７５  制御チャネル生成部
１０７７、３０７５  多重部
１０７９、３０７７  無線送信部
１０７１１  上りリンク参照信号生成部
３０５１  データ復調／復号部
３０５３  制御情報復調／復号部
３０７３  変調部
３０７９  下りリンク参照信号生成部
【図１】
2019208083.tif 000003
【図２】
2019208083.tif 000004
【図３】
2019208083.tif 000005
【図４】
2019208083.tif 000006
【図５】
2019208083.tif 000007
【図６】
2019208083.tif 000008
【図７】
2019208083.tif 000009
【図８】
2019208083.tif 000010
【図９】
2019208083.tif 000011
【図１０】
2019208083.tif 000012
【図１１】
2019208083.tif 000013